(57)【要約】【課題】保守点検モードでの調整操作後の装置の調整不良を低減する。【解決手段】画像形成装置１は、テストモードの終了時において、テストモード中に調整操作が実行された保守点検項目である調整実行項目のなかに、調整操作後の設定値を画像形成装置１に反映させるために画像形成装置１の再起動が必要な保守点検項目である要再起動項目が含まれるか否かを判断する再起動判断部２２と、表示部１２と、再起動判断部２２にて調整実行項目のなかに要再起動項目が含まれると判断された場合、テストモードが終了すると、保守員に画像形成装置１の再起動が必要であることを通知するメッセージを表示部１２に表示させる表示制御部２６と、画像形成装置１を再起動させる操作に応じて、画像形成装置１の再起動を実行する再起動処理部２４とを備える。【選択図】図１
2015136888.tif 000002
【特許請求の範囲】
【請求項１】
保守点検モードで保守員による保守点検項目に対する調整操作を受け付ける電子機器であって、
前記保守点検モードの終了時において、前記保守点検モード中に調整操作が実行された保守点検項目である調整実行項目のなかに、調整操作後の設定値を前記電子機器に反映させるために前記電子機器の再起動が必要な保守点検項目である要再起動項目が含まれるか否かを判断する再起動判断部と、
表示部と、
前記再起動判断部にて前記調整実行項目のなかに前記要再起動項目が含まれると判断された場合、前記保守点検モードが終了すると、保守員に前記電子機器の再起動が必要であることを通知するメッセージを前記表示部に表示させる表示制御部と、
前記電子機器を再起動させる操作に応じて、前記電子機器の再起動を実行する再起動処理部と
を備えることを特徴とする電子機器。
【請求項２】
保守点検モードで保守員による保守点検項目に対する調整操作を受け付ける電子機器であって、
前記保守点検モードの終了時において、前記保守点検モード中に調整操作が実行された保守点検項目である調整実行項目のなかに、調整操作後の設定値を前記電子機器に反映させるために前記電子機器の再起動が必要な保守点検項目である要再起動項目が含まれるか否かを判断する再起動判断部と、
前記再起動判断部にて前記調整実行項目のなかに前記要再起動項目が含まれると判断された場合、前記保守点検モードが終了すると前記電子機器の再起動を実行する再起動処理部と
を備えることを特徴とする電子機器。
【請求項３】
記録媒体に対して画像形成を行う画像形成部と、
前記保守点検モードの終了時において、前記調整実行項目のなかに、調整操作後の効果確認のために前記画像形成部による画像形成動作が必要な保守点検項目である要画像形成項目が含まれるか否かを判断する画像形成判断部と、
前記画像形成判断部にて前記調整実行項目のなかに前記要画像形成項目が含まれると判断された場合において、前記再起動判断部にて前記調整実行項目のなかに前記要再起動項目が含まれると判断された場合、前記電子機器が再起動すると前記画像形成部による画像形成動作を実行し、前記再起動判断部にて前記調整実行項目のなかに前記要再起動項目が含まれないと判断された場合、前記保守点検モードが終了すると前記画像形成部による画像形成動作を実行する画像形成制御部と
をさらに備えることを特徴とする請求項１または２に記載の電子機器。
【発明の詳細な説明】
【技術分野】
【０００１】
本発明は、保守点検モードで保守員による種々の調整操作を受け付ける電子機器に関する。
【背景技術】
【０００２】
画像形成装置等の電子機器において、保守点検モード（テストモード）が用意されたものが知られている（例えば、特許文献１参照）。保守点検モードは、保守員が種々の調整操作を行うためのモードである。保守員は、電子機器のメーカやメンテナンス会社等から電子機器の保守、点検、修理等のために派遣される者（サービスマン）である。保守員が装置を通常モードから保守点検モードに移行させ、保守点検モードで種々の調整操作を行うことで、ユーザが解消できない装置の不具合を解消することができる。
【０００３】
ところで、保守点検モードで調整操作が可能な保守点検項目は、１つの装置に多数存在する。これらの保守点検項目には、調整操作が終了するとすぐに調整後の設定値が装置に反映されるものと、装置を再起動しなければ調整後の設定値が装置に反映されないものとがある。
【０００４】
そこで、装置を再起動しなければ調整後の設定値が装置に反映されない保守点検項目に対する調整操作が終了すると、装置の再起動を保守員に対して指示することが行われている。具体的には、装置の電源の再投入を促すメッセージを装置の表示部に表示している。
【先行技術文献】
【特許文献】
【０００５】
【特許文献１】特開２０１０−３６４７６号公報
【発明の概要】
【発明が解決しようとする課題】
【０００６】
しかしながら、上述のメッセージを保守員が見落とすことがある。例えば、上述のメッセージが他のメッセージの下に隠れるように表示されている場合等に、保守員が見落としやすい。
【０００７】
また、保守員は、一度装置を保守点検モードに移行させると、保守点検モードを終了させるまでに、複数の保守点検項目に対する調整操作を続けて行うことがある。この場合、保守員は、上述のメッセージが表示されても、次の保守点検項目に対する調整操作を行うために、そのメッセージを消去する。その後、保守員は、そのメッセージが表示されていたことを忘れてしまうことがある。
【０００８】
このようにメッセージを見落としたり忘れたりすることで、保守員は、電源の再投入を行わないまま、装置を保守点検モードから通常モードに復帰させることがある。その結果、保守点検モードでの調整後の設定値が装置に反映されず、調整不良が生じることがあった。
【０００９】
本発明は上記に鑑みてなされたもので、保守点検モードでの調整操作後の装置の調整不良を低減できる電子機器を提供することを目的とする。
【課題を解決するための手段】
【００１０】
上記目的を達成するため、本発明に係る電子機器の第１の特徴は、保守点検モードで保守員による保守点検項目に対する調整操作を受け付ける電子機器であって、前記保守点検モードの終了時において、前記保守点検モード中に調整操作が実行された保守点検項目である調整実行項目のなかに、調整操作後の設定値を前記電子機器に反映させるために前記電子機器の再起動が必要な保守点検項目である要再起動項目が含まれるか否かを判断する再起動判断部と、表示部と、前記再起動判断部にて前記調整実行項目のなかに前記要再起動項目が含まれると判断された場合、前記保守点検モードが終了すると、保守員に前記電子機器の再起動が必要であることを通知するメッセージを前記表示部に表示させる表示制御部と、前記電子機器を再起動させる操作に応じて、前記電子機器の再起動を実行する再起動処理部とを備えることにある。
【００１１】
本発明に係る電子機器の第２の特徴は、保守点検モードで保守員による保守点検項目に対する調整操作を受け付ける電子機器であって、前記保守点検モードの終了時において、前記保守点検モード中に調整操作が実行された保守点検項目である調整実行項目のなかに、調整操作後の設定値を前記電子機器に反映させるために前記電子機器の再起動が必要な保守点検項目である要再起動項目が含まれるか否かを判断する再起動判断部と、前記再起動判断部にて前記調整実行項目のなかに前記要再起動項目が含まれると判断された場合、前記保守点検モードが終了すると前記電子機器の再起動を実行する再起動処理部とを備えることにある。
【００１２】
本発明に係る電子機器の第３の特徴は、記録媒体に対して画像形成を行う画像形成部と、前記保守点検モードの終了時において、前記調整実行項目のなかに、調整操作後の効果確認のために前記画像形成部による画像形成動作が必要な保守点検項目である要画像形成項目が含まれるか否かを判断する画像形成判断部と、前記画像形成判断部にて前記調整実行項目のなかに前記要画像形成項目が含まれると判断された場合において、前記再起動判断部にて前記調整実行項目のなかに前記要再起動項目が含まれると判断された場合、前記電子機器が再起動すると前記画像形成部による画像形成動作を実行し、前記再起動判断部にて前記調整実行項目のなかに前記要再起動項目が含まれないと判断された場合、前記保守点検モードが終了すると前記画像形成部による画像形成動作を実行する画像形成制御部とを備えることにある。
【発明の効果】
【００１３】
本発明に係る電子機器の第１の特徴によれば、再起動判断部にて調整実行項目のなかに要再起動項目が含まれると判断された場合、保守点検モードが終了すると、表示制御部が、保守員に電子機器の再起動が必要であることを通知するメッセージを表示部に表示させる。これにより、保守員が電子機器を再起動させるのを忘れることを低減でき、保守点検モードでの要再起動項目の調整後の設定値が装置に反映されないことを低減できる。この結果、保守点検モードでの調整操作後の装置の調整不良を低減できる。
【００１４】
本発明に係る電子機器の第２の特徴によれば、再起動判断部にて調整実行項目のなかに要再起動項目が含まれると判断された場合、再起動処理部が、保守点検モードが終了すると電子機器の再起動を実行する。これにより、テストモードでの要再起動項目の調整後の設定値が装置に反映されないことを低減できる。この結果、テストモードでの調整操作後の装置の調整不良を低減できる。
【００１５】
本発明に係る電子機器の第３の特徴によれば、画像形成判断部にて調整実行項目のなかに要画像形成項目が含まれると判断された場合において、再起動判断部にて調整実行項目のなかに要再起動項目が含まれると判断された場合、画像形成制御部が、電子機器が再起動すると画像形成部による画像形成動作を実行する。一方、画像形成判断部にて調整実行項目のなかに要画像形成項目が含まれると判断された場合において、再起動判断部にて調整実行項目のなかに要再起動項目が含まれないと判断された場合、画像形成制御部が、保守点検モードが終了すると画像形成部による画像形成動作を実行する。これにより、保守点検モードにおける調整操作後の効果確認のための画像形成動作が、必要に応じて適切なタイミングで自動的に実行されるので、保守員にとっての利便性が向上する。
【図面の簡単な説明】
【００１６】
【図１】実施の形態に係る画像形成装置の構成を示すブロック図である。
【図２】テストモードテーブルを示す図である。
【図３】図１に示す画像形成装置におけるテストモード実行時の動作を説明するためのフローチャートである。
【図４】図１に示す画像形成装置におけるテストモード実行時の動作を説明するためのフローチャートである。
【図５】再起動指示画面を示す図である。
【発明を実施するための形態】
【００１７】
以下、本発明の実施の形態について、図面を参照して説明する。
【００１８】
図１は、本発明の実施の形態に係る電子機器である画像形成装置の構成を示すブロック図である。図１に示すように、本実施の形態に係る画像形成装置１は、画像形成部２と、操作パネル部３と、記憶部４と、電源部５と、電源スイッチ６と、制御部７とを備える。
【００１９】
画像形成部２は、記録媒体である用紙を搬送しつつ、用紙に画像を形成する。画像形成部２は、用紙の給紙、搬送、排紙を行う搬送部と、用紙に画像を形成するためのインクを吐出するインクジェットヘッド（いずれも図示せず）とを有する。また、画像形成部２は、インクジェットヘッドのクリーニングを行うメンテナンス機構（図示せず）等を有する。
【００２０】
操作パネル部３は、ユーザの入力操作を受け付けるとともに、画像を表示するものである。操作パネル部３は、入力部１１と、表示部１２とを備える。
【００２１】
入力部１１は、ユーザ等による入力操作を受け付け、操作に応じた操作信号を出力する。入力部１１は、各種の操作キー、タッチパネル（いずれも図示せず）等を有する。操作キーには、画像形成装置１をテストモード（保守点検モード）から通常モードへ復帰させるためのモードキーが含まれている。テストモードは、画像形成装置１が保守員（サービスマン）による各種の調整操作を受け付けるモードである。ユーザが解消できない不具合が画像形成装置１に生じた場合に、保守員がテストモードで各種の調整操作を実行し、不具合の解消を図る。
【００２２】
表示部１２は、各種の操作画面等の画像を表示するものである。表示部１２は、液晶表示パネル等を有する。
【００２３】
記憶部４は、ＨＤＤ（Hard Disk Drive）等からなる。記憶部４は、各種のプログラムを記憶している。また、記憶部４は、図２に示すテストモードテーブル１６を記憶している。
【００２４】
テストモードテーブル１６は、各保守点検項目における設定値を保持している。保守点検項目は、保守員がテストモードにおいて調整操作が可能な項目である。例えば、「排出速度」は、画像形成部２において搬送部が用紙を排紙台へ排紙する際の搬送速度である。テストモードテーブル１６に保持されている設定値は、各保守点検項目において現在設定されている値である。
【００２５】
また、テストモードテーブル１６は、各保守点検項目におけるデフォルト値、最小値、最大値、およびステップを保持している。ここで、ステップは、調整幅の最小単位である。
【００２６】
また、テストモードテーブル１６は、各保守点検項目における再起動の要否を示す情報、および画像形成動作の要否を示す情報を保持している。
【００２７】
再起動の要否を示す情報は、当該保守点検項目が、テストモードにおける調整後の設定値を画像形成装置１に反映させるために画像形成装置１の再起動が必要な項目である否かを示すものである。再起動の要否が「要」の項目が、画像形成装置１の再起動が必要な要再起動項目である。要再起動項目は、画像形成装置１の起動時にしか設定値が参照されない項目である。
【００２８】
画像形成動作の要否を示す情報は、当該保守点検項目が、テストモードにおける調整操作後の効果確認のために画像形成部２による画像形成動作が必要な項目であるか否かを示すものである。画像形成動作の要否「要」の項目が、画像形成部２による画像形成動作が必要な要画像形成項目である。画像形成部２による画像形成動作は、給紙から排紙までの用紙の搬送を行いつつ、搬送される用紙へインクジェットヘッドからインクを吐出して印刷する動作である。
【００２９】
電源部５は、外部電源から電力を受け取り、画像形成装置１に電力を供給して駆動させる。
【００３０】
電源スイッチ６は、保守員等が画像形成装置１の電源をオン／オフするための操作を受け付ける。電源スイッチ６は、保守員等の操作に応じて電源部５に対して電力の供給、遮断を指示する。
【００３１】
制御部７は、画像形成装置１における制御的な処理を行う。制御部７は、ＣＰＵ、ＲＡＭ、ＲＯＭ等を備えて構成される。制御部７は、テストモード処理部２１と、再起動判断部２２と、画像形成判断部２３と、再起動処理部２４と、画像形成制御部２５と、表示制御部２６とを備える。制御部７の各部は、ＣＰＵが記憶部４に格納されたプログラムを実行すること等により構成される。
【００３２】
テストモード処理部２１は、保守員の操作に応じて、画像形成装置１をテストモードへ移行させる。また、テストモード処理部２１は、保守員の操作に応じて、画像形成装置１をテストモードから通常モードへ復帰させる。また、テストモード処理部２１は、テストモードにおける保守員の調整操作に応じて、調整実行項目のテストモードテーブル１６における設定値を更新する。調整実行項目は、テストモード中に保守員による調整操作が実行された保守点検項目である。
【００３３】
再起動判断部２２は、テストモードの終了時において、調整実行項目のなかに要再起動項目が含まれるか否かを判断する。
【００３４】
画像形成判断部２３は、テストモードの終了時において、調整実行項目のなかに要画像形成項目が含まれるか否かを判断する。
【００３５】
再起動処理部２４は、保守員等が画像形成装置１を再起動させる操作に応じて、画像形成装置１の再起動を実行する。画像形成装置１を再起動させる操作としては、操作パネル部３に対する再起動を指示する操作と、電源スイッチ６に対する電源再投入の操作とがある。
【００３６】
画像形成制御部２５は、画像形成部２を制御して画像形成動作を実行する。画像形成制御部２５は、画像形成判断部２３にて調整実行項目のなかに要画像形成項目が含まれると判断された場合において、再起動判断部２２にて調整実行項目のなかに要再起動項目が含まれると判断された場合、画像形成装置１が再起動すると画像形成部２による画像形成動作を実行する。一方、画像形成制御部２５は、画像形成判断部２３にて調整実行項目のなかに要画像形成項目が含まれると判断された場合において、再起動判断部２２にて調整実行項目のなかに要再起動項目が含まれないと判断された場合、テストモードが終了すると画像形成部２による画像形成動作を実行する。
【００３７】
表示制御部２６は、表示部１２を制御する。表示制御部２６は、再起動判断部２２にて調整実行項目のなかに要再起動項目が含まれると判断された場合、テストモードが終了すると、後述する図５の再起動指示画面３０を表示部１２に表示させる。
【００３８】
次に、画像形成装置１におけるテストモード実行時の動作について、図３、図４のフローチャートを参照して説明する。
【００３９】
図３のステップＳ１において、テストモード処理部２１は、保守員の操作により通常モードからテストモードへの移行が指示されたか否かを判断する。保守員は、パスワードの入力を含む所定の操作により、テストモードへの移行を指示することができる。テストモードへの移行は指示されていないと判断した場合（ステップＳ１：ＮＯ）、テストモード処理部２１は、ステップＳ１を繰り返す。
【００４０】
テストモードへの移行が指示されたと判断した場合（ステップＳ１：ＹＥＳ）、ステップＳ２において、テストモード処理部２１は、画像形成装置１を通常モードからテストモードへ移行させる。
【００４１】
画像形成装置１がテストモードへ移行すると、保守員が、保守点検項目を１つずつ選択し、選択した保守点検項目における設定値を調整するための調整操作を実行する。ここで、例えば、設定値の調整のために画像形成動作を行うことが必要な場合、画像形成部２による画像形成動作が実行され、その結果を確認した保守員により設定値の調整が行われる。
【００４２】
ステップＳ２に続いて、ステップＳ３では、テストモード処理部２１は、保守員が選択した保守点検項目における調整操作が実行されたか否かを判断する。
【００４３】
調整操作が実行されたと判断した場合（ステップＳ３：ＹＥＳ）、ステップＳ４において、テストモード処理部２１は、今回の調整実行項目のテストモードテーブル１６における設定値を更新する。
【００４４】
次いで、ステップＳ５において、再起動判断部２２は、テストモードテーブル１６を参照して、今回の調整実行項目が要再起動項目であるか否かを判断する。今回の調整実行項目は要再起動項目ではないと再起動判断部２２が判断した場合（ステップＳ５：ＮＯ）、ステップＳ８へ処理が進む。
【００４５】
今回の調整実行項目は要再起動項目であると判断した場合（ステップＳ５：ＹＥＳ）、ステップＳ６において、再起動判断部２２は、すでに再起動フラグが立っているか否かを判断する。再起動フラグは、テストモードが終了すると画像形成装置１の再起動が必要であることを示すものである。再起動フラグが立っていると再起動判断部２２が判断した場合（ステップＳ６：ＹＥＳ）、ステップＳ８へ処理が進む。
【００４６】
再起動フラグが立っていないと判断した場合（ステップＳ６：ＮＯ）、ステップＳ７において、再起動判断部２２は、再起動フラグを立てる。この後、ステップＳ８へ処理が進む。
【００４７】
ステップＳ８では、画像形成判断部２３は、テストモードテーブル１６を参照して、今回の調整実行項目が要画像形成項目であるか否かを判断する。今回の調整実行項目は要画像形成項目ではないと画像形成判断部２３が判断した場合（ステップＳ８：ＮＯ）、ステップＳ３へ処理が戻る。
【００４８】
今回の調整実行項目は要画像形成項目であると判断した場合（ステップＳ８：ＹＥＳ）、ステップＳ９において、画像形成判断部２３は、すでに画像形成フラグが立っているか否かを判断する。画像形成フラグは、テストモードが終了すると画像形成動作が必要であることを示すものである。画像形成フラグが立っていると画像形成判断部２３が判断した場合（ステップＳ９：ＹＥＳ）、ステップＳ３へ処理が戻る。
【００４９】
画像形成フラグが立っていないと判断した場合（ステップＳ９：ＮＯ）、ステップＳ１０において、画像形成判断部２３は、画像形成フラグを立てる。この後、ステップＳ３へ処理が戻る。
【００５０】
ステップＳ３において、調整操作が実行されていないと判断した場合（ステップＳ３：ＮＯ）、ステップＳ１１において、テストモード処理部２１は、保守員の操作によりテストモードの終了が指示されたか否かを判断する。保守員は、入力部１１のモードキーを押下することにより、テストモードの終了による通常モードへの復帰を指示することができる。テストモードの終了は指示されていないと判断した場合（ステップＳ１１：ＮＯ）、テストモード処理部２１は、ステップＳ３へ戻る。
【００５１】
テストモードの終了が指示されたと判断した場合（ステップＳ１１：ＹＥＳ）、図４のステップＳ１２において、テストモード処理部２１は、テストモードを終了させて画像形成装置１を通常モードへ復帰させる。
【００５２】
次いで、ステップＳ１３において、画像形成判断部２３は、画像形成フラグが立っているか否かを判断する。ここで、このテストモードの終了時に画像形成フラグが立っていることは、テストモードにおける調整実行項目のなかに要画像形成項目が含まれることを意味する。
【００５３】
画像形成フラグが立っていると画像形成判断部２３が判断した場合（ステップＳ１３：ＹＥＳ）、ステップＳ１４において、再起動判断部２２は、再起動フラグが立っているか否かを判断する。ここで、このテストモードの終了時に再起動フラグが立っていることは、テストモードにおける調整実行項目のなかに要再起動項目が含まれることを意味する。再起動フラグが立っていないと再起動判断部２２が判断した場合（ステップＳ１４：ＮＯ）、ステップＳ１８へ処理が進む。
【００５４】
再起動フラグが立っていると再起動判断部２２が判断した場合（ステップＳ１４：ＹＥＳ）、ステップＳ１５において、表示制御部２６は、図５に示す再起動指示画面３０を表示部１２に表示させる。表示制御部２６は、画像形成装置１を再起動させる操作が行われるまで再起動指示画面３０の表示を継続する。すなわち、画像形成装置１を再起動させない限り再起動指示画面３０は消えないようになっている。
【００５５】
再起動指示画面３０には、保守員に画像形成装置１の再起動が必要であることを通知するとともに再起動を指示するメッセージ３１が表示される。また、再起動指示画面３０には、再起動ボタン３２が表示される。再起動ボタン３２は、保守員から再起動の指示を受け付けるためのボタンである。
【００５６】
図４に戻り、ステップＳ１５に続いて、ステップＳ１６において、再起動処理部２４は、画像形成装置１を再起動させる操作が行われたか否かを判断する。具体的には、再起動処理部２４は、再起動ボタン３２の押下、および電源スイッチ６に対する電源再投入の操作のいずれかが行われたか否かを判断する。画像形成装置１を再起動させる操作は行われていないと判断した場合（ステップＳ１６：ＮＯ）、再起動処理部２４は、ステップＳ１６を繰り返す。
【００５７】
画像形成装置１を再起動させる操作が行われたと判断した場合（ステップＳ１６：ＹＥＳ）、ステップＳ１７において、再起動処理部２４は、画像形成装置１の再起動を実行する。この後、ステップＳ１８へ処理が進む。
【００５８】
ステップＳ１８では、画像形成制御部２５は、画像形成部２を制御して効果確認のための画像形成動作を実行する。この後、ステップＳ２３へ処理が進む。
【００５９】
ステップＳ１３において、画像形成フラグが立っていないと画像形成判断部２３が判断した場合（ステップＳ１３：ＮＯ）、ステップＳ１９において、再起動判断部２２は、再起動フラグが立っているか否かを判断する。再起動フラグが立っていないと再起動判断部２２が判断した場合（ステップＳ１９：ＮＯ）、ステップＳ２３へ処理が進む。
【００６０】
再起動フラグが立っていると再起動判断部２２が判断した場合（ステップＳ１９：ＹＥＳ）、ステップＳ２０へ処理が進む。ステップＳ２０〜Ｓ２２の処理は、前述したステップＳ１５〜Ｓ１７の処理と同様である。ステップＳ２２の後、ステップＳ２３に処理が進む。
【００６１】
ステップＳ２３では、テストモード処理部２１は、保守員による操作に応じて、テストモードにおける調整実行項目のうち効果確認のための画像形成動作が不要な項目の効果確認のための動作を実行する。
【００６２】
これにより、テストモード実行時の一連の動作が終了する。効果確認の結果、再調整が必要であると保守員が判断した場合、保守員が画像形成装置１をテストモードに移行させる操作を行い、上述した図３、図４のフローチャートの動作が再度実行される。
【００６３】
以上説明したように、画像形成装置１では、調整実行項目のなかに要再起動項目が含まれる場合、テストモードが終了すると、表示制御部２６が、メッセージ３１を含む再起動指示画面３０を表示部１２に表示させる。これにより、保守員が画像形成装置１を再起動させるのを忘れることを低減でき、テストモードでの要再起動項目の調整後の設定値が装置に反映されないことを低減できる。この結果、テストモードでの調整操作後の画像形成装置１の調整不良を低減できる。
【００６４】
また、画像形成装置１では、表示制御部２６は、画像形成装置１を再起動させる操作が行われるまで再起動指示画面３０の表示を継続する。これにより、保守員が画像形成装置１を再起動させるのを忘れることをより確実に防止できる。
【００６５】
また、画像形成装置１では、調整実行項目のなかに要画像形成項目および要再起動項目が含まれる場合、テストモード終了後に画像形成装置１が再起動すると、画像形成制御部２５が、画像形成部２による画像形成動作を実行する。一方、調整実行項目のなかに要画像形成項目が含まれ、要再起動項目は含まれない場合、テストモードが終了すると、画像形成制御部２５が、画像形成部２による画像形成動作を実行する。これにより、テストモードにおける調整操作後の効果確認のための画像形成動作が、必要に応じて適切なタイミングで自動的に実行されるので、保守員にとっての利便性が向上する。
【００６６】
なお、再起動判断部２２にて調整実行項目のなかに要再起動項目が含まれると判断された場合において、再起動処理部２４が、テストモードが終了すると画像形成装置１の再起動を実行するようにしてもよい。すなわち、再起動指示画面３０の表示を省略するとともに、画像形成装置１を再起動させる操作によらずに再起動処理部２４が再起動を実行するようにしてもよい。このようにしても、テストモードでの要再起動項目の調整後の設定値が装置に反映されないことを低減し、テストモードでの調整操作後の画像形成装置１の調整不良を低減できる。
【００６７】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００６８】
１  画像形成装置
２  画像形成部
３  操作パネル部
４  記憶部
５  電源部
６  電源スイッチ
７  制御部
１１  入力部
１２  表示部
１６  テストモードテーブル
２１  テストモード処理部
２２  再起動判断部
２３  画像形成判断部
２４  再起動処理部
２５  画像形成制御部
２６  表示制御部
３０  再起動指示画面
３１  メッセージ
３２  再起動ボタン
【図１】
2015136888.tif 000003
【図２】
2015136888.tif 000004
【図３】
2015136888.tif 000005
【図４】
2015136888.tif 000006
【図５】
2015136888.tif 000007